(57)【要約】【課題】光ファイバを用いた通信サービスにおいて利用者による通信事業者の変更に伴う遠隔保守ポイントや設備分界点の変更等の配線変更に柔軟に対応することができ、施工コストや部品コストの高騰を抑え、しかも、配線変更時の施工の容易性を向上することができる光フィルタを提供すること。【解決手段】通信設備側光ケーブルが接続された光コネクタプラグと利用者側光ケーブルが接続された光コネクタソケットとが互いに雌雄の異なるコネクタ部８ｂ，９ａの嵌合により接続可能となっており、コネクタ部８ｂが嵌合可能なソケット型コネクタ部１０ｄと、コネクタ部９ａが嵌合可能なプラグ型コネクタ部１０ｂと、プラグ型及びソケット型の各インターフェース部１０ｃ，１０ｅ間に配置されて通信設備側からの遠隔監視試験を行うための監視試験光を制御する光フィルタ内臓フェルール１１とを備え、光コネクタプラグと光コネクタプラグとの間に光フィルタソケット１０を割り入れ接続可能とした。【選択図】      図１
2006259220.tif 000002
【特許請求の範囲】
【請求項１】
通信設備側光ケーブルが接続された光コネクタプラグと利用者側光ケーブルが接続された光コネクタソケットとが互いに雌雄の異なるコネクタ部の嵌合により接続された光ファイバ伝送路に用いられ、
前記光コネクタプラグ側の前記コネクタ部に嵌合可能なソケット型コネクタ部と、前記光コネクタソケット側の前記コネクタ部に嵌合可能なプラグ型コネクタ部と、前記通信設備側光ケーブルとの接続状態を確保するプラグ型インターフェース部と、前記利用者側光ケーブルとの接続状態を確保するソケット型インターフェース部と、前記各インターフェース部間に配置されて通信設備側からの遠隔監視試験を行うための監視試験光を制御する光フィルタ内臓フェルールとを備え、
前記光コネクタプラグと前記光コネクタプラグとの間に割り入れ接続可能としたことを特徴とする光フィルタ。
【請求項２】
前記プラグ型インターフェース部と前記ソケット型インタフェース部とが前記各コネクタ部を一体に形成した同一のハウジングに設けられていることを特徴とする請求項１に記載の光フィルタ。
【請求項３】
前記ハウジングは、前記光コネクタプラグと前記光コネクタソケットとの嵌合接続部分を包囲する光キャビネット内に具備されたＳＣアダプタ把持機構を利用して取り付け可能な突起部を備えていることを特徴とする請求項２に記載の光フィルタ。
【請求項４】
前記ハウジングは、機械的強度特性及び熱的特性に優れたプラスチック材料を主成分として一体成形されていることを特徴とする請求項２又は請求項３に記載の光フィルタ。
【請求項５】
前記プラスチック材料は、ポリエーテルイミド或いはポニフェニレンサルファイドを主成分としていることを特徴とする請求項４に記載の光フィルタ。
【請求項６】
請求項１乃至請求項５に記載の光フィルタを備えていることを特徴とする光伝送路。
【発明の詳細な説明】
【技術分野】
【０００１】
本発明は、光フィルタ、特に、光ファイバを用いて通信サービスを行う際、通信設備ビルから光終端装置までの遠隔保守を行うための光フィルタ及びその光フィルタを備えた光伝送路に関する。
【背景技術】
【０００２】
【非特許文献１】社団法人  電子情報通信学会  信学技法  発表者：泉田史  「光ファイバ網のモニタリング技術の最新動向」  ＯＦＴ２００３-１１４（２００４-３）  Ｐ１０  図４
【０００３】
近年、インターネットやＷＡＮの普及に伴い、大容量化したコンテンツを提供するブロードバンドネットワークが必要とされている。
そこで、信号の劣化が少なく安定した通信が行うことができると共に、下り速度と上り速度が同じスピードで速いといった伝送能力の高さから、光ファイバ網を用いて提供される高速ＩＰ接続サービス（ＦＴＴＨ：Ｆｉｂｅｒ  Ｔｏ  ｔｈｅ  Ｈｏｍｅ）の加入者が急速に伸びており、その通信サービス提供事業者（以下、「通信事業者」と称する。）も今後増えるものと予想される。また、通信事業者数が増えると、その利用者も料金等のサービス内容に応じて通信事業者の契約を変更するといった選択肢も多様化するものと思われる。
【０００４】
一方、このようなＦＴＴＨサービスを支えるアクセス系の光ファイバ網もさらに拡大されるものと予想される。
この際、１つの設備センタから数千規模の光ファイバが利用者宅等へと延びていくような膨大なアクセス系光ファイバ網を経済的に構築し且つ信頼性の高い光伝送サービスを提供するためには、効率的に保守運用する光ファイバ試験監視システムが重要な役割を果たす。
【０００５】
例えば、非特許文献１には、光伝送システムの大容量化に伴い、ＤＷＤＭシステムやＤＷＤＭシステムが導入されつつあり、その通信光として用いられている１６２５ｎｍや１４８０〜１５８０ｎｍの波長帯域といった広帯域化した光ファイバ網を効率良く保守するためには、これらの通信光用の波長帯域に依存せずに光ファイバ網の監視試験光用の波長帯域（例えば、１６５０ｎｍ帯）を用いると共に、通信光のみを透過し監視試験光を遮断する光フィルタを用いる旨が記載されている。
【０００６】
また、この光フィルタは、利用者宅の光終端装置内や屋外キャビネット内に設置されるが、何れの場合であっても、ＳＣコネクタ内部に加工された光フィルタであり、ＳＣピグテールをメカニカルスプライス接続又はインドア光ファイバ若しくはドロッブ光ファイバに外被把持型ターミネーションＳＣコネクタを取り付ける施工が行われている。
【発明の開示】
【発明が解決しようとする課題】
【０００７】
ところで、上述したように、通信事業者数が増え、利用者が料金等のサービス内容に応じて通信事業者の契約を変更するといった場合、通信設備ビルから遠隔保守するポイントや設備分界点の変更が生じる。
【０００８】
しかしながら、上述したような接続形態では、通信事業者の契約変更を行った際、試験監視システムの変更等に伴って光フィルタの位置を変更する場合、メカニカルスプライスや外被把持ターミネーションＳＣコネクタを付け替える必要があり、その付け替え作業が面倒で、しかも、付け替えのための施工コストや部品コスト等が利用者への施工料金負担となるといった問題が生じていた。
しかも、これらメカニカルスプライスや外被把持ターミネーションＳＣコネクタは再利用することができないため、環境面等でも問題がある。
【０００９】
そこで、本発明は、上記事情を考慮し、光ファイバを用いた通信サービスの提供時において光フィルタ位置を簡単に移動できるよう先行的に配線しておくことにより、光ファイバを用いた通信サービスにおいて利用者による通信事業者の変更に伴う遠隔保守ポイントや設備分界点の変更等の配線変更に柔軟に対応することができ、施工コストや部品コストの高騰を抑え、しかも、配線変更時の施工の容易性を向上することができる光フィルタを提供することを目的とする。
【課題を解決するための手段】
【００１０】
その目的を達成するため、本発明は、通信設備側光ケーブルが接続された光コネクタプラグと利用者側光ケーブルが接続された光コネクタソケットとが互いに雌雄の異なるコネクタ部の嵌合により接続された光ファイバ伝送路に用いられ、前記光コネクタプラグ側の前記コネクタ部に嵌合可能なソケット型コネクタ部と、前記光コネクタソケット側の前記コネクタ部に嵌合可能なプラグ型コネクタ部と、前記通信設備側光ケーブルとの接続状態を確保するプラグ型インターフェース部と、前記利用者側光ケーブルとの接続状態を確保するソケット型インターフェース部と、前記各インターフェース部間に配置されて通信設備側からの遠隔監視試験を行うための監視試験光を制御する光フィルタ内臓フェルールとを備え、前記光コネクタプラグと前記光コネクタプラグとの間に割り入れ接続可能としたことを特徴とする光フィルタである。
【００１１】
本発明によれば、通信設備側光ケーブルが接続された光コネクタプラグと利用者側光ケーブルが接続された光コネクタソケットとが互いに雌雄の異なるコネクタ部の嵌合により接続された光ファイバ伝送路中に、通信設備側からの遠隔監視試験を行うための監視試験光を制御する光フィルタ内臓フェルールを光コネクタプラグと光コネクタソケットとの間でコネクタ接続することにより光コネクタプラグと光コネクタソケットとをそのまま利用して割り入れを容易に行うことができる。
【００１２】
本発明は、前記プラグ型インターフェース部と前記ソケット型インタフェース部とが前記各コネクタ部を一体に形成した同一のプラスチックハウジングに設けられていることを特徴とする光フィルタである。
【００１３】
本発明によれば、一つのプラスチックハウジングのみのアダプタレスでの接続を可能とし、部品点数を削減することができる。
【００１４】
本発明は、前記プラスチックハウジングは、前記光コネクタプラグと前記光コネクタソケットとの嵌合接続部分を包囲する光キャビネット内に具備されたＳＣアダプタ把持機構を利用して取り付け可能な突起部を備えていることを特徴とする光フィルタである。
【００１５】
本発明によれば、既設の光キャビネット内において光コネクタプラグと光コネクタソケットとの接続並びに固定を可能とすることができる。
【００１６】
本発明は、前記プラスチックハウジングは、機械的強度特性及び熱的特性に優れたプラスチック材料を主成分として一体成形されていることを特徴とする光フィルタである。
【００１７】
本発明によれば、引張り特性や曲げ特性といった機械的強度特性及び線膨張特性や難燃性といった熱的特性を考慮したプラスチック材料を主成分として用いることにより、屋外等での環境下での使用が可能となる。尚、具体的なプラスチック材料としては、ポリエーテルイミド或いはポニフェニレンサルファイドを主成分とすることが考えられる。
【００１８】
本発明は、請求項１乃至請求項６に記載の光フィルタを備えていることを特徴とする光伝送路である。
【００１９】
本発明によれば、既存の設備をそのまま利用して通信設備側からの遠隔監視試験を行うための監視試験光を制御する光フィルタを、その監視試験内容や設備等に応じて利用することが可能となる。
【００２０】
従って、今後、光ファイバを用いた通信サービスにおいて、利用者による通信事業者契約変更等に対応して光配線ルート上のコネクタ接続部を用いて光フィルタの設置位置を簡単に変更することができ、光ファイバの再接続等といった面倒な作業が発生せず、コスト面・施工面において優位となる。
【発明の効果】
【００２１】
本発明の光フィルタによれば、光ファイバを用いた通信サービスの提供時において光フィルタ位置を簡単に移動できるよう先行的に配線しておくことにより、光ファイバを用いた通信サービスにおいて利用者による通信事業者の変更に伴う遠隔保守ポイントや設備分界点の変更等の配線変更に柔軟に対応することができ、施工コストや部品コストの高騰を抑え、しかも、配線変更時の施工の容易性を向上することができる。
【発明を実施するための最良の形態】
【００２２】
次に、本発明の光フィルタを図面に基づいて説明する。尚、これによりこの発明が限定されるものではない。
【００２３】
図１は本発明の光フィルタの一部を破断した正面図、図２（Ａ）は本発明の光フィルタ使用前の光コネクタプラグと光コネクタソケットとの接続部分の分解正面図、図２（Ｂ）は光フィルタ使用状態の光コネクタプラグと光コネクタソケットとの接続部分の分解正面図、図３（Ａ）は本発明の光フィルタ使用前の光コネクタプラグと光コネクタソケットとの接続部分の接続正面図、図３（Ｂ）は光フィルタ使用状態の光コネクタプラグと光コネクタソケットとの接続部分の接続正面図、図４は本発明の光フィルタの適用後の伝送路の説明図、図５は本発明の光フィルタの適用前の伝送路の説明図である。
【００２４】
図５において、１は通信設備側光ケーブル（ドロップ光ファイバ）、２は利用者側光ケーブル（インドア光ケーブル）、３は利用者側光ケーブル２に接続された光終端装置、４は利用者端末としてのパーソナルコンピュータ５と光終端装置３とを接続する接続ケーブルである。
【００２５】
通信設備側光ケーブル１と利用者側光ケーブル２とは、例えば、家屋等の利用者建物６に設置の光キャビネット７内において、光コネクタプラグ８と光コネクタソケット９とを介して接続されている。
【００２６】
光コネクタプラグ８と光コネクタソケット９とは、図２（Ａ）及び図３（Ａ）に示すように、先端側が自由端部となっていてその先端に係合爪８ａを形成した一対のプラグ型（雄側）コネクタ部８ｂと、係合爪８ａが弾発係合するソケット型（雌側）コネクタ部９ａとによって嵌合形式で接続されている。また、光コネクタプラグ８と光コネクタソケット９とは、インターフェース部８ｃ，９ｂによって光ファイバ１，２の伝送路の確保がなされている。
【００２７】
一方、光コネクタプラグ８と光コネクタソケット９とは、図４、図２（Ｂ）、図３（Ｂ）に示すように、光フィルタソケット１０を割り入れることが可能となっている。
【００２８】
この光フィルタソケット１０は、ソケット型コネクタ部９ａと段発係合するように先端側が自由端部となっていてその先端に係合爪１０ａを形成した一対のプラグ型コネクタ部１０ｂと、光コネクタソケット９のインターフェース部９ｂに接続可能なプラグ型インターフェース部１０ｃと、係合爪８ａが段発係合するソケット型コネクタ部１０ｄと、光コネクタプラグ８のインターフェース部８ｃに接続可能なソケット型インターフェース部１０ｅと、翼状に突出した一対の突起部１０ｆとを一体に形成したプラスチックハウジングとなっている。
【００２９】
また、光フィルタソケット１０は、図１に示すように、各インターフェース部１０ｃ，１０ｄ間に配置されて通信設備側からの遠隔監視試験を行うための監視試験光を制御する光フィルタ内臓フェルール１１が設けられている。
【００３０】
尚、光フィルタソケット１０の全長Ｗ１は４５ｍｍ以下とすることによって光終端装置３や光キャビネット７等の狭い設置空間内に特別な部品等を設けることなく簡易な行程で割り入れを行うことが可能となっている。この際、より好ましくは全長Ｗ１は４３ｍｍとすることで割り入れ接続をより一層簡単に行うことができる。
【００３１】
また、一対の突起部１０ｆは、光キャビネット７に既存のＳＣアダプタ把持機構（図示せず）等を利用して光フィルタソケット１０の取り付けが可能となっている。
【００３２】
さらに、光フィルタソケット１０は、プラグ型インターフェース部１０ｃとソケット型インタフェース部１０ｅとが各コネクタ部１０ｂ，１０ｄを一体に形成した同一のプラスチックハウジングとして設けており、そのプラスチックハウジングは、引っ張り・曲げ特性といった機械的強度特性及び線膨張特性や難燃性といった熱的特性を考慮したプラスチック材料を主成分、具体的には、ポリエーテルイミド或いはポニフェニレンサルファイド等のプラスチック材料を主成分としていることにより、屋外等での環境下での使用が可能となっている。
【００３３】
そして、利用者による通信事業者の変更の際には、光フィルタソケット１０を取り外したり、異なるフィルタ特性（波長遮断特性帯域の異なるものなど）の光フィルタソケットを装着することにより、遠隔保守ポイントや設備分界点の変更等の配線変更に柔軟に対応することができ、施工コストや部品コストの高騰を抑え、しかも、配線変更時の施工の容易性を向上することができる。
【００３４】
ところで、上記実施の形態では、通信設備側光ケーブル１側に光コネクタプラグ８を、利用者側光ケーブル２側に光コネクタソケット９を、それぞれ接続したものを開示したが、「プラグ」と「ソケット」との文言は、雌雄関係を差別化するために用いたものであり、実際の配置関係を特定したものではなく、通信設備側光ケーブル１側に光コネクタソケット９を、利用者側光ケーブル２側に光コネクタプラグ８を配置しても良い。
【図面の簡単な説明】
【００３５】
【図１】本発明の光フィルタの一部を破断した正面図である。
【図２】（Ａ）は本発明の光フィルタ使用前の光コネクタプラグと光コネクタソケットとの接続部分の分解正面図、（Ｂ）は光フィルタ使用状態の光コネクタプラグと光コネクタソケットとの接続部分の分解正面図である。
【図３】（Ａ）は本発明の光フィルタ使用前の光コネクタプラグと光コネクタソケットとの接続部分の接続正面図、（Ｂ）は光フィルタ使用状態の光コネクタプラグと光コネクタソケットとの接続部分の接続正面図である。
【図４】本発明の光フィルタの適用後の伝送路の説明図である。
【図５】本発明の光フィルタの適用前の伝送路の説明図である。
【符号の説明】
【００３６】
１…通信設備側光ケーブル（ドロップ光ファイバ）
２…利用者側光ケーブル（インドア光ケーブル）
３…光終端装置
４…接続ケーブル
７…光キャビネット
８…光コネクタプラグ
８ａ…係合爪
８ｂ…プラグ型コネクタ部
８ｃ…インターフェース部
９…光コネクタソケット
９ａ…ソケット型コネクタ部
９ｂ…インターフェース部
１０…光フィルタソケット（プラスチックハウジング）
１０ａ…係合爪
１０ｂ…プラグ型コネクタ部
１０ｃ…プラグ型インターフェース部
１０ｄ…ソケット型コネクタ部
１０ｅ…ソケット型インターフェース部
１０ｆ…突起部
１１…光フィルタ内臓フェルール
【図１】
2006259220.tif 000003
【図２】
2006259220.tif 000004
【図３】
2006259220.tif 000005
【図４】
2006259220.tif 000006
【図５】
2006259220.tif 000007